(57)【特許請求の範囲】
【請求項１】
客が購入した商品の情報を含む商品情報を解像度の高い表示器に表示する商品情報処理装置において
解像度の低い表示器に表示するためのコマンドを解析する解析手段と、
前記解析手段で解析したコマンドの所定部に特定の文字列が含まれるか否かを判断する判断手段と、
前記判断手段でコマンドに特定の文字列が含まれると判断したならば、前記解像度の高い表示器のあらかじめ指定された領域にあらかじめ設定されたデータを表示する表示制御手段と、を備え、
前記解析手段は前記解像度の低い表示器の特定位置を点灯するためのコマンドが含まれるか否かを判断し、
前記表示制御手段は前記解析手段が前記特定位置を点灯するためのコマンドが含まれていると判断したならば、前記解像度の高い表示器のあらかじめ指定された領域にあらかじめ設定されたデータを表示する
商品情報処理装置。
【請求項２】
客が購入した商品の情報を含む商品情報を客用の解像度の高い表示器に表示する商品情報処理装置において
解像度の低い表示器に表示するためのコマンドを解析する解析手段と、
前記解析手段で解析したコマンドの所定部に特定の文字列が含まれるか否かを判断する判断手段と、
前記判断手段でコマンドに特定の文字列が含まれると判断したならば、前記解像度の高い表示器のあらかじめ指定された領域にあらかじめ設定されたデータを表示する表示制御手段と、を備え、
前記判断手段で特定のコマンドが含まれると判断されたなら、前記表示制御手段はそのコマンドに含まれる文字列の一部あるいは全部を他の文字列に変換し、変換した文字列を前記解像度の高い表示器に表示する、
商品情報処理装置。
【請求項３】
客が購入した商品の情報を含む商品情報を客用の解像度の高い表示器に表示する商品情報処理装置において
解像度の低い表示器に表示するためのコマンドを解析する解析手段と、
前記解析手段で解析したコマンドの所定部に特定の文字列が含まれるか否かを判断する判断手段と、
前記判断手段でコマンドに特定の文字列が含まれると判断したならば、前記解像度の高い表示器のあらかじめ指定された領域にあらかじめ設定されたデータを表示する表示制御手段と、を備え、
前記判断手段で特定のコマンドが含まれると判断されたなら、前記表示制御手段は前記解像度の高い表示器にそのコマンドに含まれる文字列をあらかじめ設定したレイアウトで表示する、
商品情報処理装置。
【請求項４】
前記判断手段で特定のコマンドが含まれると判断されたなら、前記表示制御手段はそのコマンドに含まれる文字列の一部あるいは全部を他の文字列に変換し、変換した文字列を前記解像度の高い表示器に表示する
請求項１又は３に記載の商品情報処理装置。
【請求項５】
前記判断手段で特定のコマンドが含まれると判断されたなら、前記表示制御手段は前記解像度の高い表示器にそのコマンドに含まれる文字列をあらかじめ設定したレイアウトで表示する
請求項１、２、又は４に記載の商品情報処理装置。
【請求項６】
客が購入した商品の情報を含む商品情報を解像度の高い表示器に表示する商品情報処理装置を
解像度の低い表示器に表示するためのコマンドを解析する解析手段、
前記解析手段で解析したコマンドに所定部に特定の文字列が含まれるか否かを判断する判断手段、
前記判断手段でコマンドに特定の文字列が含まれると判断したならば、前記解像度の高い表示器のあらかじめ指定された領域にあらかじめ設定されたデータを表示する表示制御手段、として機能させ、
前記解析手段では、前記解像度の低い表示器の特定位置を点灯するためのコマンドが含まれるか否かを判断し、
前記表示制御手段では、前記解析手段で前記特定位置を点灯するためのコマンドが含まれていると判断されたならば、前記解像度の高い表示器のあらかじめ指定された領域にあらかじめ設定されたデータを表示する
商品情報処理装置のプログラム。
【発明の詳細な説明】
【技術分野】
【０００１】
本発明の実施形態は、商品情報処理装置および商品情報処理装置のプログラムに関する。
【背景技術】
【０００２】
客が購入する商品に関して、商品のバーコードを読取り、読み取ったバーコードから商品の価格を呼び出して、売上処理を行なうＰＯＳ（Ｐｏｉｎｔ  ｏｆ  Ｓａｌｅｓ）端末やキャッシュレジスターにおいて、店員用の表示器と客用の表示器を備えているものが多い。
【０００３】
表示器の低価格化が進んだために、店員用には多くの情報が表示可能な表示器はパソコンなどと同じように、精細でカラー表示可能な表示器が用いられる場合が増えてきた。しかし一方で、客用表示器においては、比較的安価なことから、７セグメントの蛍光表示管や２、３行程度が表示可能な解像度の低いマトリックス表示のＬＥＤ（Ｌｉｇｈｔ  Ｅｍｉｔｔｉｎｇ  Ｄｉｏｄｅ）のドットマトリックス表示器が用いられている場合がある。蛍光表示管では、主に数字を表示できる程度であり、ＬＥＤ表示器では、数字とアルファベットや、可能であればカタカナを表示して、商品に関する情報を客に提供している。
【先行技術文献】
【特許文献】
【０００４】
【特許文献１】特開２０１１−２２８３２号公報
【発明の概要】
【発明が解決しようとする課題】
【０００５】
もちろん、客用表示器に液晶表示器を用いることは可能であり、実際に精細な液晶表示器を用いている場合もあるが、今まで７セグメント表示器や解像度の低いＬＥＤ客用表示器で表示するデータを精細な液晶表示器で表示できるように作ることは手間がかかる。特に、すでに販売しているＰＯＳ端末等に用いる表示器を高精細な表示器にしようとしても、解像度が低い表示器に適した表示コマンドなどを、高精細な他の表示器にそのまま利用できるものではない。
【課題を解決するための手段】
【０００６】
本実施形態の一例の商品情報処理装置は、客が購入した商品の情報を含む商品情報を解像度の高い表示器に表示する商品情報処理装置において  解像度の低い表示器に表示するためのコマンドを解析する解析手段と、前記解析手段で解析したコマンドの所定部に特定の文字列が含まれるか否かを判断する判断手段と、前記判断手段でコマンドに特定の文字列が含まれると判断したならば、前記解像度の高い表示器のあらかじめ指定された領域にあらかじめ設定されたデータを表示する表示制御手段と、を備え、前記解析手段は前記解像度の低い表示器の特定位置を点灯するためのコマンドが含まれるか否かを判断し、前記表示制御手段は前記解析手段が前記特定位置を点灯するためのコマンドが含まれていると判断したならば、前記解像度の高い表示器のあらかじめ指定された領域にあらかじめ設定されたデータを表示する。
また、本実施形態のその他の例の商品情報処理装置は、客が購入した商品の情報を含む商品情報を客用の解像度の高い表示器に表示する商品情報処理装置において  解像度の低い表示器に表示するためのコマンドを解析する解析手段と、前記解析手段で解析したコマンドの所定部に特定の文字列が含まれるか否かを判断する判断手段と、前記判断手段でコマンドに特定の文字列が含まれると判断したならば、前記解像度の高い表示器のあらかじめ指定された領域にあらかじめ設定されたデータを表示する表示制御手段と、を備え、前記判断手段で特定のコマンドが含まれると判断されたなら、前記表示制御手段はそのコマンドに含まれる文字列の一部あるいは全部を他の文字列に変換し、変換した文字列を前記解像度の高い表示器に表示する。
また、本実施形態のその他の例の商品情報処理装置は、客が購入した商品の情報を含む商品情報を客用の解像度の高い表示器に表示する商品情報処理装置において  解像度の低い表示器に表示するためのコマンドを解析する解析手段と、前記解析手段で解析したコマンドの所定部に特定の文字列が含まれるか否かを判断する判断手段と、前記判断手段でコマンドに特定の文字列が含まれると判断したならば、前記解像度の高い表示器のあらかじめ指定された領域にあらかじめ設定されたデータを表示する表示制御手段と、を備え、前記判断手段で特定のコマンドが含まれると判断されたなら、前記表示制御手段は前記解像度の高い表示器にそのコマンドに含まれる文字列をあらかじめ設定したレイアウトで表示する。
【図面の簡単な説明】
【０００７】
【図１】この実施の形態のＰＯＳ端末の外観斜視図。
【図２】このＰＯＳ端末の電気接続を示す電気ブロック図。
【図３】このＰＯＳ端末のハードディスク装置に形成された領域を示す図。
【図４】このＰＯＳ端末が備えるコマンド変換領域の詳細を示す図。
【図５】このＰＯＳ端末が実行するフローチャート。
【図６】このＰＯＳ端末が実行するフローチャート。
【図７】このＰＯＳ端末が実行するフローチャート。
【図８】このＰＯＳ端末で変換されて表示された例を示す図。
【図９】ＰＯＳ端末に用いられる蛍光表示管の一例を示す図。
【図１０】蛍光表示管に表示するために送信されるデータの例を示す図。
【図１１】このＰＯＳ端末の他の実施の形態を示すフローチャート。
【図１２】他の実施の形態により表示器に表示された例を示す図。
【発明を実施するための形態】
【０００８】
以下、図１ないし図８を用いて、この実施の形態の商品情報処理装置をＰＯＳ端末１に適用した例で説明する。
【０００９】
図１はこの実施の形態のＰＯＳ端末の外観斜視図、図２はこのＰＯＳ端末の電気接続を示すブロック図、図３はこのＰＯＳ端末のハードディスク装置に形成された領域を示す図、図４はこのＰＯＳ端末が備えるコマンド変換領域の詳細を示す図、図５はこのＰＯＳ端末が実行するフローチャート、図６はこのＰＯＳ端末が実行するフローチャート、図７はこのＰＯＳ端末が実行するフローチャート、図８はこのＰＯＳ端末で変換されて表示された例を示す図である。
【００１０】
ＰＯＳ端末１は、本体２、店用表示器３、客用表示器４からなる。本体２には、上面にキーボード５とプリンタ６が設けられている。キーボード５の右側には、ＩＣカードなどの磁気ストライプを読み取る読取部７が内蔵され、ＩＣカードなどを通すためのスリット８が本体２上面に形成されている。本体２の下方には紙幣や硬貨を収納するドロワ９が設けられている。
【００１１】
店用表示器３、客用表示器４は、ともにカラー表示可能な高精細な液晶表示器であり、それぞれ本体から送られてきた表示データを表示する。
【００１２】
このＰＯＳ端末１の本体２内には、ＣＰＵ（Ｃｅｎｔｒａｌ  Ｐｒｏｃｅｓｓｉｎｇ  Ｕｎｉｔ）１０に、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、図では「ＨＤＤ」と示すハードディスク装置１３、キー制御部１４、店表示制御部１５、客表示制御部１６、印字制御部１７、読取制御部１８、ドロワ制御部１９、および通信部２０がバスライン２１で接続される制御部２２が形成されている。通信部２０は、ＬＡＮ（Ｌｏｃａｌ  Ａｒｅａ  Ｎｅｔｗｏｒｋ）回線２３でサーバ２４に接続する。キー制御部１４は、キーボード５の入力を制御する。店表示制御部１５は、店用表示器３の表示を制御する。客表示制御部１６は、客用表示器４の表示を制御する。印字制御部１７は、プリンタ６を制御する。読取制御部１８は、読取部７を制御する。ドロワ制御部１９は、ドロワ９を制御する。
【００１３】
図３は、ＲＡＭ１２およびハードディスク装置１３に形成される領域を示すものである。ＲＡＭ１２には、商品情報を記憶する商品情報バッファ２５、店用表示器３に表示するデータを記憶する店用表示バッファ２６、客用表示器４に表示するデータを記憶する客用表示バッファ２７、プリンタ６で印字するデータを記憶する印字バッファ２８、タイマーエリア２９の各領域が設けられている。ハードディスク装置１３には、コマンド変換領域３０と画面デザイン領域３１が設けられている。
【００１４】
コマンド変換領域３０は、図４に示すような情報を記憶している。すなわち、客面表示器４に表示する内容に関して、情報の中に「テイショク」という文字列が含まれている場合に、表示を変換などするための情報であり、同様に送られてきた表示情報に「オカイケイ」、「オツリ」、「ワリビキ」、「ネビキ」の特定の文字列があれば、表示の変換を行うようにするものである。この特定の文字列によって、その特定の文字列を置き換える文字と、カタカナをひらがなに変換するか否か、金額の文字を拡大するか、金額に「円」という文字を追加するか否かおよびこの「円」と金額を赤文字にするか否か、およびこの特定の文字列が含まれている場合に表示する画面のデザインをあらかじめ設定されているどのデザインにするか、が設定されている。
【００１５】
次の、このＰＯＳ端末１が実行する処理を説明する。
【００１６】
図５は、このＰＯＳ端末１が商品の情報に応じて情報を処理して、その表示を店用表示器３、客用表示器４に行なう処理である。まず、スキャナで商品に付されたバーコードを読み取ったか否かを判断し（Ａｃｔ１）、バーコードを読み取れば、サーバ２４に商品情報を問い合わせて（Ａｃｔ２）、その問合せ結果を商品情報バッファ２４に記憶し（Ａｃｔ３）、その商品情報を表示するために表示出力を行なう（Ａｃｔ４）。なお、表示出力については、後述する。Ａｃｔ１でバーコードを読み取らなければ、キー入力があったか否かを判断し（Ａｃｔ５）、キー入力がなければその他の処理を実行する（Ａｃｔ６）。
【００１７】
Ａｃｔ５でキー入力があったと判断されたら、その入力がテンキーからの数値入力か否かを判断して（Ａｃｔ７）、数値入力であればそのデータを保存する（Ａｃｔ８）。テンキーの入力でなければ、値引きキーが押されたか否かを判断し（Ａｃｔ９）、値引きキーであれば商品情報の値引きを計算して（Ａｃｔ１０）、値引き金額を表示出力する（Ａｃｔ１１）。Ａｃｔ９で値引きキーでなければ、割引きキーが押されたか否かを判断し（Ａｃｔ１２）、割引きキーであれば商品情報の割引きを計算して（Ａｃｔ１３）、割引き率を表示出力する（Ａｃｔ１４）。ちなみに、値引きは商品の値段から所定金額を引くものであり、割引きは商品の値段から所定割合の金額を引くものである。
【００１８】
Ａｃｔ１２で割引きキーでないと判断したならば、小計キーが押されたか否かを判断し（Ａｃｔ１５）、小計キーが押されたならば、商品情報バッファに記憶した商品の値段を合計して（Ａｃｔ１６）、表示出力する（Ａｃｔ１７）。Ａｃｔ１５で小計キーでなければ現計キーが押されたか否かを判断し（Ａｃｔ１８）、現計キーが押されたならば釣銭金額を計算し（Ａｃｔ１９）、表示出力し（Ａｃｔ２０）、商品情報バッファに記憶した商品名や値段、値下げあるいは割引率または金額を必要に応じて印字してレシートを発行し（Ａｃｔ２１）、ドロワ９を開放する（Ａｃｔ２２）。また、Ａｃｔ１８で現計キーでないと判断したならば、他のキー処理を実行する（Ａｃｔ２３）。
【００１９】
図６は、図５中で表示出力された表示処理を示すものである。まず、店用表示器３に表示するデータをＰＯＳ端末１から受け取ってそのまま店用表示バッファ２６に保存する（Ａｃｔ３１）。店用表示器３は、店用表示バッファ２６にデータが保存されると自動的にそのデータが表示されるようになっている。次に、タイマーエリア２９を用いてタイマーを開始する（Ａｃｔ３２）。そして、図４で示される特定文字である「テイショク」であるか（Ａｃｔ３３）、「オカイケイ」であるか（Ａｃｔ３４）、「オツリ」であるか（Ａｃｔ３５）、「ワリビキ」であるか（Ａｃｔ３６）、「ネビキ」であるか（Ａｃｔ３７）が順次判断される。また、いずれでもなければ、特定文字が含まれていないので、数値の後に「円」という漢字を追加し（Ａｃｔ３８）、画面のデザインとしてハードディスク１３に保存されているデザインＡを選択する（Ａｃｔ３９）。
【００２０】
Ａｃｔ３３で特定文字が「テイショク」であると判断したならば、このカタカナで送られてきたデータを漢字の「定食」に置き換えて（Ａｃｔ４０）、また、「定食」以外のカタカナの部分をすべてひらがなに置き換える（Ａｃｔ４１）。また、数値データの後に「円」という漢字を追加する（Ａｃｔ４２）。画面のデザインとしてハードディスク１３に保存されているデザインＡを選択する（Ａｃｔ４３）。
【００２１】
Ａｃｔ３４で特定文字が「オカイケイ」であったと判断したならば、「オカイケイ」を「お会計に」変換して（Ａｃｔ４４）、金額の文字のサイズを大きく表示する（Ａｃｔ４５）。「円」という文字を追加して（Ａｃｔ４６）、画面デザインＢを選択する（Ａｃｔ４７）。
【００２２】
Ａｃｔ３５で特定文字が「オツリ」であったと判断したならば、「オツリ」を「お釣り」に変換し（Ａｃｔ４８）、金額の文字サイズを大きくして（Ａｃｔ４９）、「円」を追加して（Ａｃｔ５０）、画面デザインＣを選択する（Ａｃｔ５１）。
【００２３】
Ａｃｔ３６で特定文字が「ワリビキ」であったと判断したならば、「ワリビキ」を「割引き」変換して（Ａｃｔ５２）、金額の文字の色を赤くして（Ａｃｔ５３）。「円」という文字を追加して（Ａｃｔ５４）、画面デザインＡを選択する（Ａｃｔ５５）。
【００２４】
Ａｃｔ３７で特定文字が「ネビキ」であったと判断したならば、「ネビキ」を「値引き」変換して（Ａｃｔ５６）、金額の文字の色を赤くして（Ａｃｔ５７）。「円」という文字を追加して（Ａｃｔ５８）、画面デザインＡを選択する（Ａｃｔ５９）。この表示状態は、表示される文字が図８（ｄ）の「割引き」が「値引き」に変わった程度の違いであり、図面は省略してある。
【００２５】
特定文字がなかった場合にも、特定文字があった場合でも、画面選択がなされたならば、選択された変換テーブルに基づいて店用表示バッファ２７に表示する情報を書き込む（Ａｃｔ６０）。この店用表示バッファ２７にデータが書き込まれると、このデータが店用表示器４に表示される。
【００２６】
ここで表示された例を、図８を用いて説明する。図８（ａ）に「テイショク」が含まれていた例を示す。画面デザインＡには、画面の右上に店名ロゴがあらかじめ表示されるように設定されているとともに、品名や値段の表示位置が決められている。また、画面全体をピンクの背景とする。前述したようにカタカナである「オサシミ」をひらがなの「おさしみ」に変換し、「テイショク」を「定食」に置き換えて表示している。金額「１，７８０」の後に「円」という文字が追加されて表示されている。
【００２７】
特定文字に「オカイケイ」が含まれていた例を、図８（ｂ）に示す。「テイショク」という文字を含むときと同様に、ひらがなで「お会計」等表示されるようにして、金額が拡大された文字で「円」を追加して表示されている。画面デザインＢは背景色が青となっていて、画面の右上には店名のロゴが表示される。
【００２８】
特定文字に「オカイケイ」が含まれていた場合の表示状態を図８（ｃ）に示す。画面デザインＣは、画面デザインＢと似ていて、背景が青で右上に店名ロゴが表示されるほかに、画面内の下側に「本日は誠にありがとうございました」という表示がされるように設定されている。
【００２９】
特定文字に「ワリビキ」が含まれていた表示状態を図８（ｄ）に示す。Ａｃｔ４５で設定されたように、割引き金額「−１７８円」が赤文字で表示されることで、商品の単なる値段の表示とは区別できるようになっている。
【００３０】
なお、事前に設定した特定文字が含まれていなければ、表示内容は変換せずに、金額に「円」を追加するとともに、背景は見やすいものを選択するようにすればよい。
【００３１】
また、Ａｃｔ３２でカウントを開始したタイマーについて、図７を参照して説明する。このタイマーは、一定時間内に表示出力がＰＯＳ端末１からあったか否かを判断するもので、表示出力を受信した場合にはタイマーのカウントアップがあらためて開始される。そして、タイマーエリア２９でカウントしているデータがタイムアップしたか否かを判断して（Ａｃｔ６５）、タイムアップすれば画面デザインＤを選択して（Ａｃｔ６６）、客用画面に画面デザインＤを書き込んで（Ａｃｔ６７）、この処理を終了する。
【００３２】
例えば、表示するデータを１分間受信しなければ、画面デザインＤを客用表示バッファ２７に書き込み、画面を待機状態の画面とする。この表示状態を図８（ｅ）に示す。
【００３３】
このようにこの実施の形態では、例えば１文字が縦８ドット、横８ドット程度の少ないドット数で形成していて、このようなドット数の少ない数字やカタカナなどを組み合わせて表示していた情報を、カラー表示可能な液晶表示器で表示する場合に、ＰＯＳ端末１から送信する情報を変えることなく、表示を行う前に情報を変換して、見やすく表示できるようにした。このため、ＰＯＳ端末１のソフトウェアを変更することなく、変換ソフトウェアをアプリケーションソフトウェアと表示器（ハードウェア）との間に設けるだけでよい。
【００３４】
次に、この実施の形態の変形例を、図９ないし図１２を参照して説明する。この変形例は、図９に示すような７セグメントの蛍光表示管を客用表示器５１として用いていたＰＯＳ端末１をカラー液晶表示器に代えた場合に、この客用表示器５１に送信していた情報を変換してカラー液晶表示器に表示できるようにしたものである。また、図１０は蛍光表示管に表示するために送信されるデータの例を示す図、図１１このＰＯＳ端末の他の実施の形態を示すフローチャート、図１２は  他の実施の形態により表示器５１に表示された例を示す図である。
【００３５】
まず、蛍光表示管による客用表示器５１について簡単に説明する。この客面表示器５１は、１０桁の蛍光表示部５２と５つの状態表示部５３がある。蛍光表示５２は図面中一点鎖線で囲ってある。蛍光表示部は主に数字を表すものであり、左の２桁の破線で囲んだ部分は商品の部門を表示する部門領域５４であり、左から３桁目の破線で囲んだ部分はリピート領域５５であり、右７桁の破線で囲んだ部分は商品の主に値段を表示する金額領域５６である。部門領域５４は、ＰＯＳ端末から送られてきたデータに部門があればその部門のコードを表示する。リピート領域５５は、客が同じ商品を２点以上買う場合に用いられる場合に、その買上点数を表示するための領域である。金額領域５６は、客が購入する商品の値段や値引き金額などの金額に関する情報を表示する。状態表示部５３は、このＰＯＳ端末１の状態がリピートの表示か、図では「（−）」と示される値引きの表示か、図では「％−」と示される割引きの表示か、商品金額の合計の表示か、お釣りの表示かを区分けするためのものである。例えば、受け取った金額から商品合計金額を引いた釣銭が算出されたならば、お釣り部分の状態表示部が点灯して、表示されている数字が釣銭であることが分かるようになっている。
【００３６】
ＰＯＳ端末１から表示器５１に送られるデータは合計１５桁の数値からなっていて、左側５桁が状態表示部５３を表示するための状態情報５７であり、右側１０桁が蛍光表示部５２に表示するための蛍光情報５８である。５桁の状態表示部５３に関する情報で１となっている桁に対応する状態表示部５３が点灯するようになっている。
【００３７】
このような客用表示器５１が用いられていたＰＯＳ端末１に、カラー液晶の客用表示器４に置き換えた場合に、図６に示したフローチャートで示されるソフトウェアに代えて、図１１に示すフローチャートのような処理を行なうソフトウェアを用いて、客用表示バッファ２７にデータを書き込むようにすれば良い。なお、図５、図７のフローチャートは変わらないため、また前述の実施の形態から容易に推測できる部分についても、図面は省略し、説明も簡単に行なう。
【００３８】
この処理では、図４と同様なコマンド変換テーブルを必要とするが、特定データが状態表示部５３の状態情報５７を利用している点と、ＰＯＳ端末１から送信されるデータに文字列がないため、カタカナからひらがなへの文字変換が発生しない点が、前述した説明と異なる。
【００３９】
ＰＯＳ端末１から表示情報を受けると、店用表示器３に表示する情報を店用表示バッファ２６に描画する（Ａｃｔ７１）。そしてタイマーを開始する（Ａｃｔ７２）。このタイマーは第一の実施の形態と同じ機能をするものである。次に状態情報５７があるか否かを判断し（Ａｃｔ７３）、状態情報５７がすべて「０」であるならば、部門領域５４のデータがあるか否かを判断し（Ａｃｔ７４）、部門領域５４があると判断した場合には、「部門」という文字列を部門のコードに追加して（Ａｃｔ７５）、「円」を追加して（Ａｃｔ７６）、画面デザインＡを選択する（Ａｃｔ７７）。そして、客用表示バッファ２７に描画する（Ａｃｔ７８）。
【００４０】
図１２に表示例を示す。この例で図１２（ａ）は部門データがある場合、すなわち部門を表す蛍光情報５８の１桁目と２桁目が０でなければ、部門が指定されているので、「部門」と表示されてその後に部門のコード「０１」が表示される。また、商品の値段に「円」が追加されて表示される。図１２（ｂ）は蛍光情報５８に部門データがない場合である。部門データがない場合は、部門は表示されずに、商品の値段に「円」が追加されて表示される。また、選択された画面デザインＡについては、第一の実施の形態と同じである。
【００４１】
状態情報５７があった場合に、その情報が「リピート」であるか否かを判断する（Ａｃｔ７９）。リピートは、直前に入力した情報と同じ情報を入力するための処理であり、状態情報５７の１桁目（左端）が「１」となっていて、また、蛍光情報５８の３桁目に客が購入する商品の点数が入っている。そこで、客が購入する点数の後に「個」という文字を追加する（Ａｃｔ８０）。その後の処理はについて、通常の商品情報とは変わらないので、Ａｃｔ７４の処理から行なう。
【００４２】
図１２（ｃ）は、リピートがある場合の表示例である。図１２（ａ）と比べて分かるように、客が購入する商品の点数がその点数を示す数字に「個」という漢字が追加されて表示される。
【００４３】
Ａｃｔ７９で状態情報５７がリピートでなければ、値引きであるか否かを判断し（Ａｃｔ８１）、値引きでれば「値引き」という文字列を追加して（Ａｃｔ８２）、値段部分を赤字にして（Ａｃｔ８３）、また、「円」という文字を追加して（Ａｃｔ８４）、画面デザインＡを選択し（Ａｃｔ８５）、Ａｃｔ７８の客用表示バッファ２７への書き込み処理を行なう。
【００４４】
Ａｃｔ７９で状態情報５７がリピートでなければ、割引きであるか否かを判断し（Ａｃｔ８６）、割引きであれば「割引き」という文字列を追加して（Ａｃｔ８７）、値段部分を赤字にして（Ａｃｔ８８）、また、「円」という文字を追加して（Ａｃｔ８９）、画面デザインＡを選択し（Ａｃｔ９０）、Ａｃｔ７８の客用表示バッファ２７への書き込み処理を行なう。
【００４５】
Ａｃｔ８６で状態情報５７が割引きでなければ、合計であるか否かを判断し（Ａｃｔ９１）、合計きであれば「合計」という文字列を追加して（Ａｃｔ９２）、文字を拡大した文字として（Ａｃｔ９３）、また、「円」という文字を追加して（Ａｃｔ９４）、画面デザインＢを選択し（Ａｃｔ９５）、Ａｃｔ７８の客用表示バッファ２７への書き込み処理を行なう。
【００４６】
Ａｃｔ９２で状態情報５７が合計でなければ、お釣りとなるので「お釣り」という文字列を追加して（Ａｃｔ９６）、文字を拡大した文字として（Ａｃｔ９７）、また、「円」という文字を追加して（Ａｃｔ９８）、画面デザインＣを選択し（Ａｃｔ９９）、Ａｃｔ７８の客用表示バッファ２７への書き込み処理を行なう。
【００４７】
このように、ＰＯＳ端末１で蛍光表示管に表示するためのデータを用いて、カラー液晶表示器の客用表示器にカラーでかつ単なる数字の羅列だけでなく漢字を交えた表示が行えるために、表示内容が見やすくなる。また、ＰＯＳ端末１で用いていたアプリケーションソフトウェアを変更することがないため、開発時間もあまり多くかからず、かつ、比較的簡単なソフトウェアであるために、表示内容を変更したいときにもあまり手間がかからずに変更可能である。
【００４８】
なお、部門情報があるときには、その部門のコードを「部門」という漢字とともに表示する説明としたが、例えば部門のコードと漢字文字列を対応させておき、０１という部門コードでは「食品」、０２という部門コードでは「雑貨」、０３という部門コードでは「衣類」などと表示させるようにすることもできる。
【００４９】
このように、解像度が低い表示器に表示するための機能を持った、アプリケーションソフトウェアを変更せずに、表示の出力を変更するソフトウェアを後から追加するだけで、漢字を用いて、かつ色がついた見やすい表示を、解像度が高い表示器で表示可能な、比較的簡単なソフトウェアで提供できる。このようにしたことで、今までに開発してあるアプリケーションソフトウェアを新しい機種に用いる場合にも、すでに開発隅アプリケーションソフトウェアを用いて視認性がよく豊かな情報を持った表示が可能である。
【００５０】
ここで、解像度が低い表示器とは、前述したように例えば１つの文字を８ドット×８ドットで表示する表示器や、蛍光表示管のことであり、解像度が高い表示器とは、カラー表示可能な例えばスマートフォンや携帯型のゲーム機に用いられているような表示器である。この実施の形態では、
カラーの液晶表示器を用いたもので説明したが、有機ＥＬ（Ｅｌｅｃｔｒｏ  Ｌｕｍｉｎｅｓｃｅｎｃｅ）素子を用いた表示器など、他の表示器にも適用できる。
【００５１】
また、表示する内容についても、カタカナからひらがなや漢字に変換するだけでなく、文字列に応じてアルファベットを用いることや、解像度の高い表示器であるため、絵や写真のようなビットデータを表示することも可能である。さらには、日本語のデータを英語や中国語などの複数の言語に対応付けて、同時に２つ以上の言語を表示させることもできる。
【００５２】
この実施の形態では、客用表示器４についての説明であったが、備え付けられていた店用表示器３が例えば蛍光表示管であった場合に、その店用表示器３をカラー液晶表示器などに置き換える場合にも適用できる。
【００５３】
さらには、上記実施の形態で説明したソフトウェアを、例えばＣＤ−ＲＯＭ（Ｃｏｍｐａｃｔ  Ｄｉｓｋ  Ｒｅａｄ  Ｏｎｌｙ  Ｍｅｍｏｒｙ）などの外部記憶媒体に保存して配布することや、サーバに保存しておき電気通信回線を用いて配信することも可能である。
【００５４】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、修正を行うことができる。これら実施形態やその変形は、発明の範囲や要旨に含まれるとともに、特許請求の範囲に記載された発明とその均等の範囲に含まれる。
【符号の説明】
【００５５】
１・・ＰＯＳ端末
４・・客用表示器
２６・・客用表示バッファ
【図１】
0005663517.tif 000002
【図２】
0005663517.tif 000003
【図３】
0005663517.tif 000004
【図４】
0005663517.tif 000005
【図５】
0005663517.tif 000006
【図６】
0005663517.tif 000007
【図７】
0005663517.tif 000008
【図８】
0005663517.tif 000009
【図９】
0005663517.tif 000010
【図１０】
0005663517.tif 000011
【図１１】
0005663517.tif 000012
【図１２】
0005663517.tif 000013